(57)【特許請求の範囲】
【請求項１】
ボディ（ａ）に組み付けたポンプ装置（Ｐ）の拡縮室（ｐ）に接続する吸引・吐出パイプ（６４）をボディ（ａ）の先端部の吐出筒（２）内に配置し、ボディ（ａ）内に設けた管路（３０）及び吸引ブロック（６２）の外周面と吐出筒（２）の内周面との間に形成した流路（ｕ）及びノズル部（２０）の円周面と吸引・吐出パイプ（６４）の外周面との間に形成した流路を経て、ノズル部（２０）の先端の吐出口（２０ａ）に供給されるシーラの流れを、弁機構（４）の閉弁作動により遮断して、吐出筒（２）先端の吐出口（２０ａ）からのシーラの吐出を停止させたときに、前記吐出口（２０ａ）の周辺に付着して垂れ下がるように生じてくるシーラの液だれを、ポンプ装置（Ｐ）の吸引作動により吐出筒（２）を経て拡縮室（ｐ）に吸引せしめるようにしたシーラガンにおいて、前記ポンプ装置（Ｐ）を、前記ボディ（ａ）の先端部の内腔に嵌装したシリンダ状のケーシング（６０）と、該ケーシング（６０）に後方から摺動自在に嵌合するピストン（６１）と、該ケーシング（６０）の前端側に組み付ける吸引ブロック（６２）と、該吸引ブロック（６２）に設けた吸引・吐出口（６３）に接続せしめて該吸引ブロック（６２）に基端側を保持せしめた吸引・吐出パイプ（６４）と、により構成し、前記ポンプ装置（Ｐ）の前記吸引ブロック（６２）を、前記ケーシング（６０）の前端部に対し装脱自在に組み付け、かつ、前記ボディ（ａ）の先端部の吐出筒（２）を該吐出筒（２）の基端側の拡径部（２ａ）に設けた係止手段（ｃ）により前記ボディ（ａ）に対し着脱自在に組み付け、かつ、前記ボディ（ａ）の先端部の吐出筒（２）の基端側の拡径部（２ａ）を、前記ケーシング（６０）の前端部の外周側に係止手段（ｃ）を介して着脱自在に組み付け、該吐出筒（２）の前記ケーシング（６０）に対する組み付けにより、前記吸引ブロック（６２）をケーシング（６０）に対し固定装着させるようにしたことを特徴とするシーラガン。
【発明の詳細な説明】
【技術分野】
【０００１】
本発明は、塗布剤または充填剤等のシーラを吐出筒の先端の吐出口から吐出させるシーラガンであって、シーラの吐出を停止させたときに吐出筒の先端の吐出口部に生じてくるシーラの液だれを除去・消失せしめる液だれ防止装置を装備せしめているシーラガンについての改良に関する。
【０００２】
さらに具体的にいえば、筒状に形成して基端側に把持グリップを具備せしめたボディの先端部に、先端側を小径のノズルに形成した吐出筒を接続し、ボディの内部には、シーラを吐出筒に導く導入管と、その導入管と吐出筒との連通を断・接する弁機構とを設け、その弁機構を、把持グリップに並列させてボディに軸支した握りレバーに対し、該レバーの握り込みで開弁し、握り込みの解放による復元回動で閉弁するよう連繋したシーラガンにおいて、ボディには、握りレバーの回動動作によりピストンがケーシングに対し出入作動して吸引・吐出のポンプ作動を行うポンプ装置を付設し、そのポンプ装置の吸引・吐出口を、シーラガンの吐出筒の内腔で、吐出口の近傍に配位して、握りレバーを放してシーラの吐出を停止したときに、吐出筒の吐出口付近のシーラをポンプ装置の拡縮室内に吸引して消失せしめるようにした液だれ防止装置を装備せしめているシーラガンについての改良に関するものである。
【背景技術】
【０００３】
塗布剤・充填剤などを液材料としたシーラを、構造体の隙間・間隙に、塗布・充填する作業に用いられるシーラガンは、通常、図１に示しているように、基端側に把持グリップ１を有する中空筒体の銃身状に形成したボディａの先端部に、先端側を小径のノズル部２０に形成した吐出筒２の基端側を接続し、ボディａの内部には、導入管３から供給されてくるシーラを先端部の吐出筒２に導く管路３０と、その管路３０と吐出筒２との連通を断・接する弁口４０と弁座口４１とからなる弁機構４とを設け、その弁機構４と、ボディａの把持グリップ１に並列させてボディａに軸支した握りレバー５とを、その握りレバー５を把持グリップ１と共に握り込む作動で弁機構４が開弁し、その握りレバー５の握り込みの解放作動でその握りレバー５が復元バネ５０により復元回動する作動で弁機構４の閉弁が行われるよう連繋機構５１を介し連繋し、握りレバー５を把持グリップ１とともに握り込むと、弁機構４が開弁して導入管３から供給されてくるシーラが、管路３０を経て吐出筒２に導かれて、それのノズル部２０の先端の吐出口２０ａから吐出され、握りレバー５の握り込みを放すと、弁機構４が閉弁して、シーラの吐出が停止するように構成してある。
【０００４】
このシーラガンＡは、握りレバー５の握り込みを放して、シーラの吐出を停止させたとき、弁機構４より下流側においてシーラガンＡの機内に残留したシーラが、導入管３から導入されるときに与えられている圧力により、吐出筒２の先端の吐出口２０ａから押し出されてくるようになる。
【０００５】
そして、シーラガンＡの器内から吐出口を介して押し出されるシーラＳは、粘性を具備して付着性と凝集性が大きい性状のものであることから、吐出筒２のノズル２０先端の吐出口２０ａから離れずに、その吐出口の周縁に付着して、つらら状に垂れ下がり、液だれの現象を呈するようになる。
【０００６】
このシーラの吐出を弁機構４の作動により停止させたときに、吐出筒１の先端の吐出口２０ａの周辺に付着して垂れ下がるシーラの液だれは、放置しておくと、外気に曝されることで、次に塗布作業・充填作業を行うときには、正常に使用できない性状のものに変性する性状のものであることから、シーラの吐出を停止させたときに、その直後に、吐出筒２の先端から拭き取って廃棄する処理を行っている。このことから、シーラガンＡには、液材料のシーラの吐出を停止させる度ごとに、生じてくる液だれを拭き取る作業を行わなければならないことで、塗布・充填作業の作業性を悪くし、また液だれを廃棄することで、シーラの損失を招いている問題がある。
【０００７】
シーラガンＡに組み付け装備せしめる液だれの防止装置Ｂは、このシーラガンＡに、シーラの吐出を停止させる度ごとに生じてくる液だれを消失せしめるためのものである。
【０００８】
このシーラガンＡに組み付け装備せしめる液だれ防止装置Ｂは、図２に示しているように、シーラガンＡの本体を構成するボディａに、内部空間をシリンダ状に形成したケーシング６０と、そのケーシング６０の後面側から摺動自在に嵌合するピストン６１と、そのケーシング６０の前端側に装着する吸引ブロック６２と、その吸引ブロック６２に設けた吸引・吐出口６３に接続する吸引・吐出パイプ６４とからなるポンプ装置Ｐを、それのピストン６１のケーシング６０に対する出入作動により、吸引ブロック６２の後壁面とピストン６１の前端面との間に形成される拡縮室ｐが拡縮して、吸引・吐出口６３を介し吸引と吐出を行うように構成して組み付ける。そして、このポンプ装置Ｐを、それのピストン６１の往動・復動による吸引・吐出の作動を、握りレバー５を握り込んで、シーラの吐出が行われるようにしたときには、ピストン６１が押し込まれて吐出作動を行い、握りレバー５の握り込みが解放されて握りレバー５が復元バネ５０により復元回動するときには、ピストン６１が引き出されてケーシング６０内の拡縮室ｐの内容積を拡張して吸引作動を行うように、握りレバー５の回動作動に対し連動連繋させ、この握りレバー５を放してシーラの吐出を停止させたときに行われる吸引作動で液だれのシーラＳを拡縮室ｐに吸引させることで液だれ防止装置Ｂを構成するようにしている。
【０００９】
この連動連繋は、図２に示しているシーラガンＡの液だれ防止装置Ｂにあっては、ポンプ装置Ｐのピストン６１を、弁機構４の弁軸４２の先端部に、一体的に連続させて設けておいて、握りレバー５の握り込みにより、弁軸４２の後端側に連続させて形成せるシャフト７の周面に設けたボビン状の係止部材５１ａと、握りレバー５の上端側に形設した角状の係合突起５１ｂとからなる連繋機構５１を介し弁軸４２が、前方（図２において左方）に押し出されて、その弁軸４２に設けた弁座口４１が弁口４０と対向する位置に動き、弁機構４を開弁した状態としたときに、弁軸４２の先端側に設けたピストン６１が、ケーシング６０内に押し込まれて、図３の（１）にあるように、ケーシング６０の吸引ブロック６２の前面とピストン６１の前端壁とで形成する拡縮室ｐを押し縮めて吐出作動を行い、握りレバー５の握り込みを解放して、握りレバー５を復元バネ５０により復元回動させ同時に弁軸４２を後方（図２において右方）に引き戻し弁軸４２に設けた弁座口４１を弁口４０から離れた位置に動かして弁機構４を閉弁状態とするときは、図３の（２）、（３）、（４）に示している如く、弁軸４２とともにピストン６１がケーシング６０から引き出されるように動いて、ケーシング６０内の拡縮室ｐを拡張させて吸引作動を行うようにして、握りレバー５との連動・連繋を行わせている。
【００１０】
そして、このポンプ装置Ｐのケーシング６０内の拡縮室ｐと連通する吸引・吐出パイプ６４の先端開口は、シーラガンＡの吐出筒２の内部で、ノズル部２０先端の吐出口２０ａの近傍位置に臨むように配位しておき、これにより、握りレバー５の握り込みを解放して、シーラの吐出を停止したときに、ポンプ装置Ｐが吸引作動を行って、吐出筒２のノズル２０の先端部位に付着して垂れ下がるシーラの液だれを、吐出筒２のノズル部２０先端の吐出口２０ａから、逆に吐出筒２内に引き込み、拡張していくポンプ装置Ｐのケーシング６０内部の拡縮室ｐ内に吸引して、ノズル２０先端部の周辺から除去・消失させるようにしている。
【００１１】
このように液だれ防止装置Ｂを装備せしめたシーラガンＡは、シーラの吐出を停止させたときに、吐出筒２の先端に付着して垂れ下がるシーラを、吐出筒２の内部から吸引・吐出パイプ６４を経てポンプ装置Ｐの拡縮室ｐ内に引き込むことで消失させるようにすることから、吐出筒２及び吸引・吐出パイプ６４の内部に、外気との接触により変性して固化したシーラが存在してくるようになって、吐出筒２の先端の吐出口２０ａからのシーラの吐出に詰まりが生ずるようになるので、吐出筒２内の清掃を度々行わなければならない。しかも、シーラガンＡの先端の吐出筒２は、通常、ボディａの先端部に対し圧入嵌合により連結させてボディａに一体的に接続した状態に装設してあることから、吐出筒２内部の清掃は外部から行わなければならず、その清掃作業を厄介なものとしているので、その清掃作業のために作業性を悪くする問題を生ぜしめている。
【発明の概要】
【発明が解決しようとする課題】
【００１２】
本発明において解決しようとする課題は、シーラの吐出を停止させたときに、吐出筒の先端に付着して垂れ下がるように生じてくるシーラの液だれを、ボディに組み付けたポンプ装置の吸引作動で、吐出筒内を経てポンプ装置の拡縮室に吸引せしめて消失・除去せしめるようにしているシーラガンにおいて、詰まり防止のために要する吐出筒の内部の清掃作業が、適確迅速に行えるようにする手段を構成する点にある。
【課題を解決するための手段】
【００１３】
本発明においては、上述の課題を解決するための手段として、ボディ（ａ）に組み付けたポンプ装置（Ｐ）の拡縮室（ｐ）に接続する吸引・吐出パイプ（６４）をボディ（ａ）の先端部の吐出筒（２）内に配置し、ボディ（ａ）内に設けた管路（３０）及び吸引ブロック（６２）の外周面と吐出筒（２）の内周面との間に形成した流路（ｕ）及びノズル部（２０）の円周面と吸引・吐出パイプ（６４）の外周面との間に形成した流路を経て、ノズル部（２０）の先端の吐出口（２０ａ）に供給されるシーラの流れを、弁機構（４）の閉弁作動により遮断して、吐出筒（２）先端の吐出口（２０ａ）からのシーラの吐出を停止させたときに、前記吐出口（２０ａ）の周辺に付着して垂れ下がるように生じてくるシーラの液だれを、ポンプ装置（Ｐ）の吸引作動により吐出筒（２）を経て拡縮室（ｐ）に吸引せしめるようにしたシーラガンにおいて、前記ポンプ装置（Ｐ）を、前記ボディ（ａ）の先端部の内腔に嵌装したシリンダ状のケーシング（６０）と、該ケーシング（６０）に後方から摺動自在に嵌合するピストン（６１）と、該ケーシング（６０）の前端側に組み付ける吸引ブロック（６２）と、該吸引ブロック（６２）に設けた吸引・吐出口（６３）に接続せしめて該吸引ブロック（６２）に基端側を保持せしめた吸引・吐出パイプ（６４）と、により構成し、前記ポンプ装置（Ｐ）の前記吸引ブロック（６２）を、前記ケーシング（６０）の前端部に対し装脱自在に組み付け、かつ、前記ボディ（ａ）の先端部の吐出筒（２）を該吐出筒（２）の基端側の拡径部（２ａ）に設けた係止手段（ｃ）により前記ボディ（ａ）に対し着脱自在に組み付け、かつ、前記ボディ（ａ）の先端部の吐出筒（２）の基端側の拡径部（２ａ）を、前記ケーシング（６０）の前端部の外周側に係止手段（ｃ）を介して着脱自在に組み付け、該吐出筒（２）の前記ケーシング（６０）に対する組み付けにより、前記吸引ブロック（６２）をケーシング（６０）に対し固定装着させるようにしたことを特徴とするシーラガンを提起するものである。
【発明の効果】
【００１４】
本発明手段によれば、吐出筒２内にシーラの詰まりが生じてきたときの、吐出筒２内の清掃が、吐出筒２を取り外した状態で行え、しかも、吐出筒２を取り外すことで、吐出筒２内に配設する吸引・吐出パイプ６４が、それを支持する吸引ブロック６２ごと、そっくり取り外せるようになるので、厄介な作業となる吸引・吐出パイプ６４内の清掃がこれを取り出して簡単に行えるようになって、詰まり対策のための吐出筒２内の清掃が迅速・適確に行えるようになる。
【図面の簡単な説明】
【００１５】
【図１】従前のシーラガンの縦断した側面図である。
【図２】改善策として液だれ防止装置を組み付けたシーラガンの縦断側面図である。
【図３】同上シーラガンの液だれ防止装置を組み込んだ先端側の部分の縦断側面図で、図３の（１）は、液だれ防止装置のポンプ装置の吐出行程がエンドに達した状態時の縦断側面図、図３の（２）は、同上ポンプ装置の吸引行程が開始した状態時の縦断側面図、図３の（３）は、吸引行程が進んだ状態時の縦断側面図、図３の（４）は、吸引行程がエンドに達した状態時の縦断側面図である。
【図４】本発明手段を実施したシーラガンの縦断側面図である。
【図５】同上シーラガンの把持グリップの横断平面図である。
【図６】同上シーラガンの把持グリップの内部に組み込む補強リブの斜視図である。
【図７】吐出筒の基端の拡径部とボディ先端部との嵌合部位の拡大縦断面図である。
【図８】同上部分の、シーラの流れ状態を示す説明図である。
【発明を実施するための形態】
【００１６】
次に本発明の実施の態様を、実施例につき図面に従い詳述する。
【実施例１】
【００１７】
図４は、本発明を実施せるシーラガンＡの、握りレバー５の握り込みを放して、該握りレバー５が、復元バネ５０により開放回動側の回動作動のエンドにまで回動している状態における縦断側面図、図５は同上のシーラガンＡの、先端側の部分の拡大した縦断側面図、図６は同上シーラガンの同上部分の、吐出筒２をボディａから取り外した状態における縦断側面図、図７は、同上部分の、吐出筒２を外し、さらに吸引ブロック６２を外した状態における縦断側面図である。
【００１８】
図４において、Ａはシーラガンの全体、ａはそのシーラガンＡのボディ、１はそのボディａの基端側に設けた把持グリップ、２はボディａの先端側に設けた吐出筒、３はシーラガンＡにシーラを供給するよう把持グリップ１の基端に接続した導入管、３０は、導入管３で供給されるシーラをボディａの先端側に設けた前記吐出筒２に導くようボディａ内部に設けた管路、４はその管路３０での吐出筒２内へのシーラの供給をオン・オフ制御する弁機構、５はその弁機構４に、開弁・閉弁の作動を行わすようボディａに軸支した握りレバー、Ｂは、その握りレバー５の作動により弁機構４を閉弁作動させてシーラの吐出を停止させたときに、吐出筒２の先端の吐出口周辺に付着して垂れ下がるように生じてくるシーラの液だれを、吸引して除去・消失せしめるようボディａに組み付けた液だれ防止装置を示す。
【００１９】
ボディａは、前後方向（図４において左右方向）に長い中空の筒状に成形してあり、その内部には前後に長いシャフト７が前後に移動自在に収蔵してある。
【００２０】
該シャフト７は、後端側の周面に一体または一体的に設けたボビン状の係止部材５１ａの外周面と、ボディａの内壁面に設けたリング状のガイド突起７１の内周面に摺接する該シャフト７の外周面とによりガイドされて、ボディａ内を前後に自在にスライド移動する。そして、該シャフト７の外周に設けた前記係止部材５１ａとボディａの内壁面に設けたガイド突起７１との間に張架した復元バネ５０により、後方に移動するよう付勢されていて、これにより、常態において該シャフト７の後端が、ボディａの内腔の後端部に設けた規制部材８の前端に突き当たってストップするエンド位置に保持されている。
【００２１】
このシャフト７には、ボディａに支軸５ａにより回動自在に軸支してある握りレバー５が連動して回動するよう連繋機構５１を介し連繋してある。この連繋機構５１は、握りレバー５の回動支点である支軸５ａを上方に越した部位に角片状に設けた係合突起５１ｂと、シャフト７の外周に設けたボビン状の係止部材５１ａとの噛み合い係合により構成してあり、握りレバー５を把持グリップ１とともに握り込み、支軸５ａ中心に図４において反時計方向に回動させると、握りレバー５に設けた係合突起５１ｂがこの反時計方向の回動によって前方に動くことで、シャフト７に設けた係止部材５１ａを前方に押し出して、復元バネ５０を押し縮めながらシャフト７を前方に押し出し、また、握りレバー５の握り込みを解放すると、復元バネ５０のバネ圧でシャフト７が右方に動き、これによる係止部材５１ａと係合突起５１ｂとの連繋作動により、握りレバー５が把持グリップ１から離れた開放回動位置に復元回動していくようにしてある。
【００２２】
シャフト７の前端側には、弁機構４の弁軸４２が一体または一体的に形設してある。
【００２３】
弁機構４は、シャフト７の前端側に設けた弁軸４２の周面に、その弁軸４２の軸芯部に形設せる管路３０ａに接続連通させて設けた弁座口４１と、ボディａの内壁面に、ボディａ内部に形設せる管路３０に接続させて開設した弁口４０とによって、握りレバー５の握り込みでシャフト７が前方に動き、シャフト７前端部に設けた弁軸４２が一緒に動くことで、弁軸４２に設けた弁座口４１が前方に変位してボディａに設けた弁口４０と対向する位置を占めることにより開弁状態となって、ボディａ側の管路３０で導かれてきたシーラを弁軸４２内の管路３０ａを経て吐出筒２内に導き吐出筒２先端の吐出口２０ａから吐出させるようになり、握りレバー５の握り込みを放すと、シャフト７が復元バネ５０により右方に動くことで、弁軸４２に設けた弁座口４１がスライドして変位し、弁口４０と対向する位置からずれて、弁口４０を弁軸４２の周面で閉ざす閉弁状態となって、吐出筒２の吐出口２０ａからのシーラの吐出を停止させるように構成してある。
【００２４】
シャフト７の前端側には、上記弁機構４の前方に、さらに、液だれ防止装置Ｂを構成するポンプ装置Ｐのピストン６１が一体に装設してある。
【００２５】
このポンプ装置Ｐは、ボディａの先端部の内腔に嵌装したシリンダ状のケーシング６０と、そのケーシング６０に後方から摺動自在に嵌合するピストン６１と、そのケーシング６０の前端側に組み付ける吸引ブロック６２と、その吸引ブロック６２に設けた吸引・吐出口６３に接続せしめて該吸引ブロック６２に基端側を保持せしめた吸引・吐出パイプ６４とによって、ピストン６１が往動すると、そのピストン６１の前端面と吸引ブロック６２の後端面との間に形成される拡縮室ｐが押し縮められてその拡縮室ｐ内の流体を吸引・吐出パイプから吐出せしめる吐出作動を行い、ピストン６１が復動すると、拡縮室ｐが拡張して、吸引・吐出パイプ６４から流体を拡縮室ｐ内に吸引する吸引作動を行うように構成してある。
【００２６】
そして、このポンプ装置Ｐの拡縮室ｐに通ずる吸引パイプ６４は、ボディａの先端側に設けてある吐出筒２内に配置して、その吸引パイプ６４の先端の開口を、吐出筒２の先端部に開設してある吐出口２０ａの近傍に位置させておくことで、弁機構４の閉弁によりシーラの吐出を停止したときに生じるシーラの液だれを、弁機構４の閉弁作動に連動して作動するポンプ装置Ｐの吸引作動により、吐出筒２の吐出口２０ａから吸引・吐出パイプ６４を経て拡縮室ｐ内に吸引して除去消失せしめる液だれ防止装置Ｂを構成するようにしている。
【００２７】
このポンプ装置Ｐは、それのシリンダ状のケーシング６０の前端部に嵌装される吸引ブロック６２を、ケーシング６０に対し取り外し自在に組み付けた構成としている。図示している実施例においては、この吸引ブロック６２は、図７にあるように、基端部６２ａを、ケーシング６０の内腔に抜き差し自在に嵌挿される軸状に形成し、中間部位の外周面にリング状の係止鍔部６２ｂを設け、前端部６２ｃを前方に向けて先細りに拡径していくコーン状とした形状に形成して、それの基端部６２ａを、ケーシング６０の前面側から係止鍔部６２ｂがケーシング６０の前端面に突き当たるまで挿入して嵌合させることでケーシング６０に組み付けた状態となり、嵌合させた軸状の後端部６２ａを引き抜くことでケーシング６０から外れるようにしてある。そして、吸引ブロック６２の軸状の後端部６２ａをケーシング６０の前端側に嵌合させた状態において、その吸引ブロック６２の外側に吐出筒２の拡径部２ａを被せ、その吐出筒２の基端側の拡径部２ａをボディａの先端部に連結装着することで、この吐出筒２の拡径部２ａの内周壁により、該吸引ブロック６２の係止鍔部６２ｂがケーシング６０の前端面に押さえ付けられることによってケーシング６０に対し固定装着されるようにしてある。この吸引ブロック６２のケーシング６０に対する固定装着は、吐出筒２がボディａの先端部に組み付け固定されている間維持される。
【００２８】
吐出筒２のボディ２の先端部に対する組み付けは、装脱自在の組み付けに構成してある。吐出筒２は従前のシーラガンにあっては、ボディの先端側に一体的に組み付けられていて、取り外しは、シーラガンを分解することを要するものであるが、本発明手段においては、吐出筒２の基端の拡径部２ａと嵌り合う嵌合軸部ｂをボディａの先端側に設けて、これに基端の拡径部２ａを嵌合し、拡径部２ａと嵌合軸部ｂとの間に設ける係止手段ｃにより嵌合状態に保定することでボディａに一体的に連結した状態となり、係止手段ｃの解除により取り外せるようにしている。
【００２９】
この実施例においては、ボディａの先端部に組み付けるポンプ装置Ｐのシリンダ状のケーシング６０を、それの前端部がボディａの先端から突出するように組み付け、そのケーシング６０の突出部をもって、吐出筒２の拡径部２ａを嵌合させる嵌合軸部ｂに構成して、この嵌合軸部ｂの外周面に雄ねじを形設し、吐出筒２の拡径部２ａの内周面に、雌ねじを形設して、これらねじにより嵌合軸部ｂと吐出筒２の拡径部２ａとを係着する係止手段ｃに構成している。
【００３０】
これにより、図７にあるように、吸引ブロック６２を、ボディａの前端部の前方に配位して、その吸引ブロック６２の基端部６２ａを、ボディａの前端側に突出するケーシング６０の前端部の内腔に、該ブロック６２の取付鍔部６２ｂが突き当たるまで嵌挿して吸引ブロック６２をケーシング６０の前端部に取り付け、この状態において、図６にあるように、吐出筒２を吸引ブロック６２に被せて、基端の拡径部２ａを、ケーシング６０の前端の嵌合軸部ｂの外周側に嵌め、拡径部２ａの雌ねじを嵌合軸部ｂの雄ねじに係合させ、ねじ込みにより締め付けていくことで、この拡径部２ａの内周面により吸引ブロック６２が嵌合軸部ｂに押し付けられてそれに固着・保持せしめた状態とするようにしている。
【００３１】
このとき、吐出筒２の基端の拡径部２ａの内周面で、雌ねじを設けた部分より前方に寄る部位には、吸引ブロック６２に設けた取付鍔部６２ｂの前面側に衝合して該取付鍔部６２ｂに係合する係合段部２ｂを設けておくことで、吐出筒２の拡径部２ａのねじ込みによる締め付けの際に、吸引ブロック６２の取付鍔部６２ｂが係合段部２ｂと嵌合軸部ｂの前端面との間に挟持されるようになって、吸引ブロック６２の固定装着が強固で確実なものとなる。
【００３２】
また、吸引ブロック６２に設ける取付鍔部６２ｂには、図８にあるように、吐出筒２のねじ込みによる装着で該取付鍔部６２ｂが、拡径部２ａの係合段部２ｂとケーシング６０前端部分である嵌合軸部ｂの前端面との間に挟持されて固定されている状態において、該取付鍔部６２ｂの、弁機構４の弁口４０から弁座口４１を経て導入されるシーラを吐出筒２の内部に導くように、ケーシング６０に形設されているシーラの管路３０ａの、先端開口と対向する部位には、シーラを流過させる透孔ｄが、周方向に所定の間隔ピッチをもって整列するように複数個開設してあり、吸引ブロック６２をケーシング６０に組み付けセットする際に、適宜の透孔ｄをケーシング６０の前端に開口する前記管路３０ａの先端開口に一致させておくことで、図８において鎖線の矢印に示している如く、ボディａ内に設けた管路３０から弁口４０を経て弁座口４１に流れ、その弁座口４１から弁軸４２内の管路を経てケーシング６０内の管路３０ａに流れてくるシーラを、この取付鍔部６２ｂに開設した透孔ｄを経て、吸引ブロック６２の外周面と吐出筒２の拡径部２ａの内周面との間に形成される流路ｕ及び吸引ブロック６２の吸引パイプ６４の外周面と吐出筒２のノズル部２０の間に形成される流路を経て、吐出筒２先端の吐出口２０ａに導くようにしてある。
【００３３】
また、この実施例のシーラガンＡは、それの把持グリップ１が、それの中心部円筒状の内筒１０の外周に、図６に示しているようにカラーの周面に楕円のリブ１１を設けた補強リブ１２を、楕円のリブ１１の長径が前後方向となる状態で嵌装し、その補強リブ１２の外周に、図５にあるように、長径が前後方向になるように成形した外筒１３を被せて装着することで、左右の幅を狭く前後の幅を広くした扁平な形状に形成してある。
【００３４】
このように構成せる実施例のシーラガンＡは、シーラの吐出を停止させたときに、吐出筒２の吐出口２０ａから垂れ下がるように生じてくるシーラの液だれを、吐出筒２を経てポンプ装置Ｐの拡縮室ｐ内に吸引させて消失せしめるようにした液だれ防止装置Ｂを組み込み装備せしめたことで、シーラの塗布作業中に、吐出筒２内にシーラの詰まりが生じてきた際、吐出筒２を外すことで、ポンプ装置Ｐの吸引・吐出口６３に接続する吸引パイプ６４が、それを支持する吸引ブロック６３ごと取り外せるので、吐出筒２の内部と吸引パイプ６４の内部との清掃が、その吐出筒２と吸引パイプ６４を取り外した状態で行えるようになり、詰まり対策のための清掃作業が楽にかつ、適確に行えるようになる。
【符号の説明】
【００３５】
Ａ    シーラガン
Ｂ    液だれ防止装置
Ｐ    ポンプ装置
Ｓ    シーラ
ａ    ボディ
ｂ    嵌合軸部
ｃ    係止手段
ｄ    透孔
ｐ    拡縮室
ｕ    流路
１    把持グリップ
１１    リブ
１２    補強リブ
１３    外筒
２    吐出筒
２ａ  拡径部
２ｂ  係合段部
２０    ノズル部
２０ａ  吐出口
３    導入管
３０    管路
３０ａ  管路
４    弁機構
４０    弁口
４１    弁座口
４２    弁軸
５    握りレバー
５ａ  支軸
５０    復元バネ
５１    連繋機構
５１ａ  係止部材
５１ｂ  係合突起
６０    ケーシング
６１    ピストン
６２    吸引ブロック
６２ａ  基端部
６２ｂ  係止鍔部
６２ｃ  前端部
６３    吸引・吐出口
６４    吸引・吐出パイプ
７    シャフト
７１    ガイド突起
８    規制部材
【図１】
0005610997.tif 000002
【図２】
0005610997.tif 000003
【図３】
0005610997.tif 000004
【図４】
0005610997.tif 000005
【図５】
0005610997.tif 000006
【図６】
0005610997.tif 000007
【図７】
0005610997.tif 000008
【図８】
0005610997.tif 000009